(57)【要約】【課題】  タッチ操作パネル部のタッチスイッチに部分的に不具合が生じても、操作性を維持させ操作性の低下を最小限にする。【解決手段】  表示パネル部１１は当該装置Ａの動作形態を表示する。タッチ操作パネル部１３は多数のタッチスイッチが配列され表示パネル部１１に重ねられ、タッチスイッチへのタッチ操作による入力指示を受け付ける。操作制御部１７は、表示可能領域１１ａ内にこれより小さな表示領域１１ｂで動作形態を表示制御し、タッチ操作パネル部１３へのタッチ操作による当該装置への入力指示を受け付ける。移動指示部１５は、表示可能領域１１ａの周囲に表示領域１１ｂの移動指示の入力を受け付ける。操作制御部１７は、移動指示に基づき表示領域１１ｂをスライド変位制御する。【選択図】  図１
2012032981.tif 000002
【特許請求の範囲】
【請求項１】
当該装置の動作形態を所定の表示可能領域に表示する表示パネル部と、
多数のタッチスイッチが上下左右に配列され前記表示パネル部に重ねられたシート状のタッチ操作パネル部であって、前記タッチスイッチへのタッチ操作による前記装置への入力指示を受け付けるタッチ操作パネル部と、
前記表示可能領域にこれより小さな表示領域で前記動作形態を表示制御し、前記タッチ操作パネル部へのタッチ操作による前記装置への入力指示を受け付けたとき、前記タッチ操作に応じた前記入力指示に基づき前記装置の動作を実行制御する操作制御部と、
を具備し、
前記表示可能領域内における前記表示領域の移動指示の入力を受け付ける移動指示部を有し、
前記操作制御部は、前記移動指示に基づき前記表示可能領域内における前記表示領域をスライド変位制御することを特徴とする操作パネル制御装置。
【請求項２】
前記移動指示部は、前記表示可能領域の周囲に配置された請求項１記載の操作パネル制御装置。
【請求項３】
前記操作制御部は、前記移動指示を受け付けた前記移動指示部の前記表示可能領域に対する配置方向にスライド変位制御する請求項２記載の操作パネル制御装置。
【請求項４】
前記移動指示部は、前記表示可能領域の周囲に縦横複数段に配置され、前記操作制御部は、前記表示可能領域より遠い前記移動指示部からの前記移動指示に応じて前記表示領域を大きくスライド変位制御する請求項４記載の操作パネル制御装置。
【請求項５】
前記移動指示部は、前記表示可能領域の周囲に同心状に複数段配置されてなる請求項４記載の操作パネル制御装置。
【請求項６】
前記移動指示部は、前記装置の本体ケースに形成された操作孔と、この操作孔の底部に配置され前記操作孔に挿入される操作ピンによるスイッチ動作によって前記移動指示の入力を受け付けるスイッチ素子とを有する複数のスイッチ部が配列されてなる請求項２〜５いずれか１項記載の操作パネル制御装置。
【請求項７】
前記請求項１〜６いずれか１項記載の操作パネル制御装置と、画像データを画像形成する画像形成部とを有する画像形成装置。
【発明の詳細な説明】
【技術分野】
【０００１】
本発明は操作パネル制御装置および画像形成装置に係り、例えば電子写真方式の複写機、ファクシミリ機、プリンタ又はこれらの機能を搭載した複合機（ＭＦＰ：Multi Function Peripheral）等の画像形成装置に用いて好適する操作パネル制御装置および当該画像形成装置の改良に関する。
【背景技術】
【０００２】
この種の画像形成装置にあっては、一般に、原稿上の画像情報から画像データを光学的に読み取る読取機能、その画像データに基づきトナー像を形成して用紙に転写定着させて印刷する印刷（印字）機能、画像データをファクシミリ送受信するファクシミリ機能、その他種々の画像データ処理機能を有している。
【０００３】
そして、画像形成装置では、それら諸機能の選択、設定および実行を、複合機本体ケースに配置された液晶タイプの操作パネル部に対する直接のタッチ操作等によって行うのが一般的である。
【０００４】
ところが、そのような操作パネル部は、液晶型の表示パネル部に透明なタッチ操作パネル部（タッチスイッチシート）を重ねて形成されており、タッチ操作パネル部に形成される個々のタッチスイッチの寿命が有限で、経時的に反応不具合が生じる心配がある。
【０００５】
特に、画像形成装置においては、スタートキー、コピーキーやリターンキー等の使用頻度が多く、タッチ操作に対する反応の不具合を発生させる心配がある。
【０００６】
このような状況に対処するために、例えば特開平８−１６２９９号公報（特許文献１）に示すタッチキー内蔵の表示装置が提案されている。
【０００７】
この特許文献１は、入力されるキーに対する表示パターンが表示される表示装置において、上記キーの入力された頻度を計数する計数手段と、この計数手段による計数結果が所定の頻度に達するごとに、上記表示パターンの表示位置を順次変更する変更手段とを有し、使用頻度の高いコピーキーの位置を使用頻度に応じて変更することにより、そのキーの故障を起こし難くし、更に、使用頻度の高いキーが故障した時にキー配置を強制的に変更させ、故障による機能停止を最小限に抑えることを可能にするものである。
【先行技術文献】
【特許文献】
【０００８】
【特許文献１】特開平８−１６２９９号公報
【発明の開示】
【発明が解決しようとする課題】
【０００９】
しかしながら、上述した特許文献１は、キー入力頻度を計数し、計数結果が所定の頻度に達したときキー配置を強制的に変更させるものであり、何時、どの様な状態に至ったときキー配置が変更されるか、ユーザには判別や予測がつき難く、突然のキー配置変更によってユーザに不安を与える心配もある。
【００１０】
本発明はそのような課題を解決するためになされたもので、タッチ操作パネル部のタッチスイッチシートに不具合が生じても、タッチ操作パネル部の操作性を維持して入力指示の確保が容易な操作パネル制御装置および画像形成装置の提供を目的とする。
【課題を解決するための手段】
【００１１】
そのような課題を解決するために本発明の請求項１に係る操作パネル制御装置は、当該装置の動作形態を所定の表示可能領域に表示する表示パネル部と、多数のタッチスイッチが上下左右に配列され表示パネル部に重ねられたシート状のタッチ操作パネル部であって、そのタッチスイッチへのタッチ操作による装置への入力指示を受け付けるタッチ操作パネル部と、その表示可能領域にこれより小さな表示領域で動作形態を表示制御し、そのタッチ操作パネル部へのタッチ操作による当該装置への入力指示を受け付けたとき、そのタッチ操作に応じた入力指示に基づき当該装置の動作を実行制御する操作制御部とを具備し、その表示可能領域内における表示領域の移動指示の入力を受け付ける移動指示部を有し、その操作制御部は、移動指示に基づき表示可能領域内における表示領域をスライド変位制御する構成を有する。
【００１２】
本発明の請求項２に係る操作パネル制御装置は、上記移動指示部が、その表示可能領域の周囲に配置された構成である。
【００１３】
本発明の請求項３に係る操作パネル制御装置は、上記操作制御部が、その移動指示を受け付けた移動指示部の表示可能領域に対する配置方向にスライド変位制御する構成である。
【００１４】
本発明の請求項４に係る操作パネル制御装置は、上記移動指示部が、その表示可能領域の周囲に縦横複数段に配置され、上記操作制御部が、その表示可能領域より遠い移動指示部からの移動指示に応じて表示領域を大きくスライド変位制御する構成である。
【００１５】
本発明の請求項５に係る操作パネル制御装置は、上記移動指示部が、その表示可能領域の周囲に同心状に複数段配置されてなる構成である。
【００１６】
本発明の請求項６に係る操作パネル制御装置は、上記移動指示部が、当該装置の本体ケースに形成された操作孔と、この操作孔の底部に配置され操作孔に挿入される操作ピンによるスイッチ動作によって移動指示の入力を受け付けるスイッチ素子とを有する複数のスイッチ部が配列されてなる構成である。
【００１７】
本発明の請求項６に係る画像形成装置は、それら請求項１〜６いずれか１項記載の操作パネル制御装置と、画像データを画像形成する画像形成部とを有する構成である。
【発明の効果】
【００１８】
このような本発明の請求項１に係る操作パネル制御装置では、その表示可能領域にこれより小さな表示領域に動作形態を表示させた状態において、その移動指示部から表示領域の移動指示の入力を受け付けると、この移動指示に基づき、その操作制御部が表示可能領域内における表示領域をスライド変位制御するから、タッチ操作パネル部のタッチスイッチに部分的に不具合が生じても、この不具合の生じたタッチスイッチ部分を避けて動作形態を表示可能となり、タッチ操作による装置への入力指示を受け付けることが可能で、操作性の低下を最小限に抑え、操作性を維持させることが容易である。
【００１９】
本発明の請求項２に係る操作パネル制御装置では、上記移動指示部が、その表示可能領域の周囲に配置されるから、移動指示部が分かり易く、表示領域をスライド変位させる操作性が良好である。
【００２０】
本発明の請求項３に係る操作パネル制御装置では、上記操作制御部が、その移動指示を受け付けた移動指示部の表示可能領域に対する配置方向にスライド変位制御するから、表示領域をスライド変位させたい方向に位置する移動指示部を操作すればその方向に表示領域がスライド変位され、操作性が良好である。
【００２１】
本発明の請求項４に係る操作パネル制御装置は、上記移動指示部が表示可能領域の周囲に縦横複数段に配置され、上記操作制御部が、表示可能領域より遠い移動指示部からの移動指示に応じて表示領域を大きくスライド変位制御するから、表示領域をスライド変位させたいスライド量に応じた位置の移動指示部を操作すれば、そのスライド量に応じて表示領域がスライド変位され、操作性が良好である。
【００２２】
本発明の請求項５に係る操作パネル制御装置は、上記移動指示部が、その表示可能領域の周囲に同心状に複数段配置されてなるから、スライド方向およびスライド量に応じた表示領域の位置変位の予測が視覚的に分かり易く、操作性が良好である。
【００２３】
本発明の請求項６に係る操作パネル制御装置は、上記移動指示部が、当該装置の本体ケースに形成された操作孔と、この操作孔の底部に配置され操作孔に挿入された操作ピンによるスイッチ動作によって移動指示の入力を受け付けるスイッチ素子とを有するスイッチ部からなるから、操作の簡単な移動指示部を目立たなくさせた状態で多数配列可能となる。
【図面の簡単な説明】
【００２４】
【図１】本発明に係る操作パネル制御装置を含む画像形成装置の実施の形態を示す概略ブロック図である。
【図２】図１の操作パネル部を説明する図である。
【図３】図１の操作パネル部を説明する図である。
【図４】図１の操作パネル部の要部を説明する部分拡大図である。
【図５】図１の操作パネル部の要部を説明する部分拡大図である。
【発明を実施するための最良の形態】
【００２５】
以下、本発明に係る操作パネル制御装置および画像形成装置の実施の形態を図面を参照して説明する。なお、本発明の操作パネル制御装置は画像形成装置を説明する過程で説明する。
【００２６】
図１は本発明に係る操作パネル制御装置Ｂを含む画像形成装置Ａの実施の一形態を示す概略ブロック図である。
【００２７】
画像形成装置Ａは、主制御部１を中心にして画像読取部３、記憶部５、印刷部７、通信部９および操作パネル制御装置Ｂを有し、例えば複合機を構成している。なお、画像形成装置Ａとしてはこれ以外にも種々の構成を有するが、本発明の要部ではないので説明および図示を省略する。
【００２８】
主制御部１は、画像読取部３、記憶部５、印刷部７、通信部９および操作パネル制御装置Ｂを制御するものであるが、詳細は後述する。
【００２９】
画像読取部３は、画像形成装置Ａの本体ケース（図示せず。）の上部に配置され、主制御部１の制御の下、原稿用紙から当該紙面の画像状態を光学的に読み込み、フィルタ処理等をして電子的画像データを生成するスキャナであり、生成した画像データが原稿の頁毎に記憶部５に順次記憶されるようになっている。
【００３０】
記憶部５は、画像読取部３からの読取画像データや通信部９を介した外部からの画像データ、主制御部１や操作パネル制御装置Ｂの動作プログラム、および操作パネル制御装置Ｂで表示する表示画面等を格納する読み書き可能な例えばハードディスク（ＨＤＤ）である。
【００３１】
印刷部７は、本体ケース内に配置され、用紙のセットされる給紙段から用紙を給紙し、記憶部５の記憶画像データに基づき画像形成して用紙に印刷処理する画像形成部としての機能を有している。
【００３２】
通信部９は、ネットワークＮＴを介して外部の図示しない画像形成装置やサーバー等との間で画像データや電子メールの送受信をする入出力インターフェースである。
【００３３】
主制御部１は、ＣＰＵ（central processing unit）、このＣＰＵの起動プログラムを格納したメモリ部、入出力インターフェース（いずれも図示せず。）を有し、上述した画像読取部３からの読取画像データを記憶部５に格納し、格納された画像データを印刷部７に出力して印刷制御し、種々の表示画面を操作パネル制御装置Ｂに出力して表示制御する他、操作パネル制御装置Ｂからの操作指示を画像読取部３および印刷部７に出力してその動作機能を実行制御する機能を有し、操作パネル制御装置Ｂを制御するとともにそれらの一部を担っている。
【００３４】
操作パネル制御装置Ｂは、表示パネル部１１、タッチ操作パネル部１３、移動指示部１５および操作制御部１７を有して構成されており、表示パネル部１１、タッチ操作パネル部１３および移動指示部１５等によって操作表示部１９が形成されている。
【００３５】
なお、操作パネル制御装置Ｂとしてはこれ以外にも種々の構成を有するが、本発明の要部ではないので説明および図示を省略する。
【００３６】
操作表示部１９の表示パネル部１１は、図２に示すように、画像形成装置Ａの動作形態を所定の表示可能領域１１ａに表示する液晶型の表示パネルであり、画像形成装置Ａの主制御部１から操作制御部１７を介した制御の下、例えば画像データの取込や印刷動作を表示するものである。
【００３７】
表示パネル部１１は、表示可能領域１１ａ内において、周囲に補助表示領域部分を残し表示可能領域１１ａより小さな表示領域１１ｂに画像形成装置Ａの動作形態が表示可能になっている。これらの表示は操作制御部１７によってなされ、後述するように表示可能領域１１ａ内においてスライド可能になっているが、詳細な後述する。
【００３８】
なお、図２における符号１１ｃは複写、ファクシミリ又は画像データ送受信等の機能選択用の選択ボタン、符号１１ｄは種々の設定値等の入力用のテンキー、符号１１ｅは入力確定用のリターンキーである。
【００３９】
タッチ操作パネル部１３は、多数のタッチスイッチ（タッチセンサ）が上下左右に配列され表示パネル部１１に重ねられた透明又は透過性のシート状入力部であり、表示領域１１ｂを含む表示可能領域１１ａ全体に相当するタッチスイッチへのタッチ操作により、当該装置Ａへの入力指示を受け付ける機能を有する。タッチ操作パネル部１３は透過されて図では見えない。
【００４０】
すなわち、タッチ操作パネル部１３は、表示パネル部１１に対し、マトリックス状に配列された例えば公知の静電容量型センサ等の多数のタッチスイッチからなるタッチスイッチシートであり、個々のタッチスイッチへのタッチ操作による入力指示を受け付け、操作制御部１７に出力する機能を有している。タッチセンサは静電容量型センサに限定されない。
【００４１】
図３は、図２中の表示パネル部１１において、横長四角形状の表示領域１１ｂには画像形成装置Ａの動作形態として画像形成装置の概略イラスト加えて、「コピー」、「ソート」および「ステープ」の操作ボタン表示１１ｆがなされた状態が図示されており、表示領域１１ｂの周囲はこれを囲むように補助表示領域１１ｇとなっている。
【００４２】
例えば、「コピー」の操作ボタン表示１１ｆの領域に重なる何れか１個又は複数個のタッチセンサを外部からタッチすることにより、操作制御部１７が「コピー」の操作ボタン表示１１ｆへの操作入力であると判別する。
【００４３】
移動指示部１５は、操作表示部１９において、表示パネル部１１の周囲にこれを囲むように配置されており、表示可能領域１１ａにおける表示領域１１ｂの移動指示の入力を受け付けてこの指示情報を操作制御部１７に出力する機能を有している。なお、図２では移動指示部１５を簡略化して示す。
【００４４】
移動指示部１５は、図４に示すように、表示可能領域１１ａの周囲に僅かな間隔を置いて上下左右に、かつ枠型の同心状に縦横複数段に配列された複数のスイッチ部２１から形成されている。図４中の●印は操作予定のスイッチ部２１である。
【００４５】
個々のスイッチ部２１は、操作制御部１７の制御の下、表示可能領域１１ａに対する内外方向で１ステップ分のスライド変位に対応しており、表示可能領域１１ａに近いスイッチ部２１ｃから遠ざかるに従い、そのステップ分のスライド変位に対応している。
【００４６】
スイッチ部２１は、図４および図５に示すように、装置の本体ケースに形成された操作孔２１ａ（図５では図示せず。）と、この操作孔２１ａの底部に配置され操作孔２１ａに挿入される操作ピン２１ｂによるスイッチ動作によって移動指示の入力を受け付けるスイッチ素子２１ｃとを有して形成されている。図5中の符号２１ｄはユーザの操作指である。
【００４７】
すなわち、移動指示部１５は、操作孔２１ａおよびスイッチ素子２１ｃを有するスイッチ部２１に操作ピン２１ｂが挿入されることにより、スイッチ素子２１ｃがスイッチ動作して移動指示の入力を受け付けるようになっており、個々のスイッチ部２１（スイッチ部２１ｃ）毎の指示入力が操作制御部１７に出力されるようになっている。
【００４８】
操作制御部１７はサブＣＰＵで形成され、画像形成装置Ａの主制御部１から制御の下、図２に示したように、表示パネル部１１に例えば画像データの取込や印刷動作形態を表示制御するとともに、タッチ操作パネル部１３へのタッチ操作に応じた入力指示を受け付け、入力指示に基づき主制御部１等にそれを出力して実行制御する機能を有する機能を有している。
【００４９】
また、操作制御部１７は、移動指示部１５からの移動指示に基づき表示可能領域１１ａ内における表示領域１１ｂをスライド変位制御する機能を有する他、以下の制御機能を有している。
【００５０】
すなわち、操作制御部１７は、その移動指示を受け付けた移動指示部１５の表示可能領域１１ａに対する配置方向にスライド変位制御する機能、表示可能領域１ｂより遠い移動指示部１５からの移動指示に応じて表示領域１１ｂを大きくステップ毎にスライド変位制御する機能を有している。
【００５１】
具体的には、例えば図４において、表示可能領域１ｂに最も近いスイッチ部２１に操作ピン２１ｂを挿入すれば、移動操作されたスイッチ部２１方向へ表示領域１１ｂが１ステップ分スライド変位され、更に１段離れたスイッチ部２１に操作ピン２１ｂを挿入すれば、操作されたスイッチ部２１方向へ表示領域１１ｂが更に１ステップ分スライド変位される。
【００５２】
なお、図４Ｂは表示可能領域１ｂの左側に位置するスイッチ部２１を操作して左側へスライドさせた状態を示している。
【００５３】
次に、本発明に係る画像形成装置Ａにおける操作パネル制御装置Ｂの動作を簡単に説明する。
【００５４】
一例として、「コピー」の操作ボタン表示１１ｆに相当するタッチ操作パネル部１３に、部分的に反応不具合領域Ｚが生じ、「コピー」の操作ボタン表示１１ｆから入力指示が困難な状況において、操作制御部１７による表示制御の下、図３に示す動作形態が表示され、表示可能領域１ｂの左側に位置するスイッチ部２１を操作し、表示領域１１ｂを左側へスライドさせる過程を説明する。
【００５５】
移動指示部１５のスイッチ部２１、例えば表示可能領域１１ａの左側にあってこれに最も近接した操作孔２１ａに操作ピン２１ｂを挿入するとスイッチ素子２１ｃがスイッチ動作（オン動作）して移動指示が操作制御部１７に出力される。
【００５６】
操作制御部１７は、スイッチ部２１ｃの指示入力を受け、表示可能領域１１ａ内において、図３および図４に示すように、表示領域１１ｂを表示可能領域１１ａ内で１ステップ（Ｓ）分左側にスライド変位させた状態で表示制御する。
【００５７】
この状態では、図３Ｂおよび図４Ｂに示すように、タッチ操作パネル部の反応不具合領域Ｚが、「コピー」の操作ボタン表示１１ｆに相当する領域から外れ、「コピー」の操作ボタン表示１１ｆに相当する領域をタッチ操作すれば、指示入力を操作制御部１７へ出力させることが可能である。
【００５８】
さらに、操作ピン２１ｂを抜き、１段左側の操作孔２１ａに操作ピン２１ｂを挿入すると、スイッチ素子２１ｃが同様に動作し、操作制御部１７が表示領域１１ｂを更に１ステップ分左側へスライド変位させ、最初の位置から２ステップ分左側へスライド変位させる。
【００５９】
これ以外にも、表示可能領域１１ａの上下左右のスイッチ部２１をスイッチ動作させると、表示可能領域１１ａ内において表示領域１１ｂを上下左右にスライド変位させた状態で表示される。
【００６０】
すなわち、表示可能領域１１ａに対する配置方向に、表示可能領域１ｂより遠い分、表示領域１１ｂが大きくスライド変位される。
【００６１】
このような本発明の操作パネル制御装置は、画像形成装置Ａの動作形態を所定の表示可能領域１１ａに表示する表示パネル部１１と、多数のタッチスイッチが上下左右に配列され表示パネル部１１に重ねられたシート状のタッチ操作パネル部１３であって、そのタッチスイッチへのタッチ操作による装置への入力指示を受け付けるタッチ操作パネル部１３と、その表示可能領域１１ａにこれより小さな表示領域１１ｂに動作形態を表示制御し、そのタッチ操作パネル部１３へのタッチ操作による当該装置への入力指示を受け付けたとき、そのタッチ操作に応じた入力指示に基づき当該装置の動作を実行制御する操作制御部１７とを具備し、その表示可能領域１１ａの周囲にはその表示可能領域１１ａ内における表示領域１１ｂの移動指示の入力を受け付ける移動指示部１５を有し、その操作制御部１７が移動指示に基づき表示可能領域１１ａ内における表示領域１１ｂをスライド変位制御する構成を有している。
【００６２】
そのため、タッチ操作パネル部１３のタッチスイッチに部分的に不具合が生じても、この不具合の生じたタッチスイッチ部分を避けて動作形態を表示可能となり、タッチ操作による装置Ａへの入力指示を受け付けることが可能であるし、移動指示部１５が表示可能領域１１ａの周囲に配置されているから移動指示部１５の存在が分かり易く、操作性の低下を最小限にして操作性を維持させことが容易である。
【００６３】
また、操作制御部１７が、その移動指示を受け付けた移動指示部１５の表示可能領域１１ａに対する配置方向にスライド変位制御するから、表示領域１１ｂをスライド変位させたい方向に位置する移動指示部１５を操作すればその方向に表示領域１１ｂがスライド変位され、操作性が良好である。
【００６４】
さらに、移動指示部１５が、その表示可能領域１１ａの周囲に縦横複数段に配置され、その表示可能領域１１ａより遠い移動指示部１５からの移動指示に応じて表示領域１１ｂを大きくスライド変位制御するから、表示領域１１ｂをスライド変位させたいスライド量に応じた位置の移動指示部１５を操作すれば、そのスライド量に応じて表示領域１１ｂがスライド変位され、この点からも操作性が良好である。
【００６５】
そして、移動指示部１５が、その表示可能領域１１ａの周囲に同心状に複数段配置されてなる構成であるから、スライド方向およびスライド量に応じた表示領域１１ｂの位置変位の予測が視覚的に分かり易く、より操作性が良好である。
【００６６】
移動指示部１５を形成するスイッチ部２１の配置形態は、上述したように同心状に限らず任意であり、その表示可能領域１１ａから離れた位置に応じ、表示可能領域１１ａ中央部のデフォルト位置からのスライド量も等量又は異なる量で大きくスライド変位制御可能である。
【００６７】
ところで、移動指示部１５が、操作孔２１ａと、この操作孔２１ａの底部に配置され操作孔２１ａに挿入された操作ピン２１ｂによるスイッチ動作によって移動指示の入力を受け付けるスイッチ素子２１ｃとを有するスイッチ部２１からなるから、操作の簡単な移動指示部１５を目立たなく多数配列可能となる。
【００６８】
もっとも、移動指示部１５は上述したように操作孔２１ａおよびスイッチ素子２１ｃからなる構成に限定されず、タッチスイッチ構成等種々の構成が可能である。
【００６９】
なお、本発明の操作パネル制御装置Ｂを搭載した画像形成装置Ａにおいても、上述した操作パネル制御装置Ｂと同様の効果を有する。
【符号の説明】
【００７０】
１  主制御部
３  画像読取部
５  記憶部
７  印刷部（画像形成部）
９  通信部
１１  表示パネル部
１１ａ  表示可能領域
１１ｂ  表示領域
１１ｃ  選択ボタン
１１ｆ  操作ボタン表示
１１ｇ  補助表示領域
１３  タッチ操作パネル部
１３ａ  タッチスイッチ
１５  移動指示部
１７  操作制御部
１９  操作表示部
２１  スイッチ部
２１ａ  操作孔
２１ｂ  操作ピン
２１ｃ  スイッチ素子
２１ｄ  操作指
Ａ  画像形成装置
Ｂ  操作パネル制御装置
【図１】
2012032981.tif 000003
【図２】
2012032981.tif 000004
【図３】
2012032981.tif 000005
【図４】
2012032981.tif 000006
【図５】
2012032981.tif 000007